(57)【要約】  本発明は、センサのコード照合処理方法、装置、ネットワークプラットフォーム機器及びモノのインターネットゲートウェイを開示し、該方法は、センサのコード照合を行うよう要求するための、センサを識別する識別情報が携帯されるコード照合要請メッセージを受信することと、識別情報に基づいてセンサのコード照合状態を決定することと、決定された、モノのインターネットゲートウェイによるセンサのコード照合処理の実行に用いられるコード照合状態を、モノのインターネットゲートウェイに送信することと、を含み、本発明によれば、関連技術において、不正侵入者があることから、センサのコード照合過程において安全面の懸念が発生する問題を解決し、さらに、センサへのアクセス安全性を有効に向上させる効果を達成している。
2017535122.tif 000002
【特許請求の範囲】
【請求項１】
センサのコード照合を行うよう要求するための、前記センサを識別する識別情報が携帯されるコード照合要請メッセージを受信することと、
前記識別情報に基づいて前記センサのコード照合状態を決定することと、
決定された、モノのインターネットゲートウェイによる前記センサのコード照合処理の実行に用いられる前記コード照合状態を、前記モノのインターネットゲートウェイに送信することと、
を含むセンサのコード照合処理方法。
【請求項２】
前記センサのコード照合を行うよう要求するための前記コード照合要請メッセージを受信することは、
モノのインターネットゲートウェイからの前記コード照合要請メッセージを受信することと、
モバイル端末のアプリケーションＡＰＰからの前記コード照合要請メッセージを受信することと、のうちの少なくとも一方を含む
請求項１に記載の方法。
【請求項３】
前記センサの識別情報は、
前記センサの唯一の識別コードＩＤ、前記センサのタイプ、前記センサの動作方式のうちの少なくとも一方を含む
請求項１に記載の方法。
【請求項４】
センサのコード照合を行うよう要求するための、センサを識別する識別情報が携帯されるコード照合要請メッセージを受信することと、
前記コード照合要請メッセージをネットワークプラットフォーム機器に送信することと、
前記ネットワークプラットフォーム機器が前記識別情報に基づいて決定した、前記センサのコード照合状態を受信することと、
決定された前記コード照合状態に基づいて、前記センサのコード照合処理を実行することと、
を含むセンサのコード照合処理方法。
【請求項５】
決定された前記コード照合状態に基づいて、前記センサのコード照合処理を実行することは、
前記コード照合状態が前記センサのコード照合済み又はコード照合禁止である場合、前記センサに対するコード照合処理を禁止すること、及び／又は、
前記コード照合状態が、前記センサのコード照合が行われていないこと或いはコード照合が許可されることになる場合、前記センサに対するコード照合処理をトリガーすること、を含む
請求項４に記載の方法。
【請求項６】
センサのコード照合を行うよう要求するための、前記センサを識別する識別情報が携帯されるコード照合要請メッセージを受信するように構成される第１の受信モジュールと、
前記識別情報に基づいて前記センサのコード照合状態を決定するように構成される決定モジュールと、
決定された、モノのインターネットゲートウェイによる前記センサのコード照合処理の実行に用いられる前記コード照合状態を、前記モノのインターネットゲートウェイに送信するように構成される送信モジュールと、
を備えるセンサのコード照合処理装置。
【請求項７】
前記受信モジュールは、
モノのインターネットゲートウェイからの前記コード照合要請メッセージを受信するように構成される第１の受信ユニットと、
モバイル端末のアプリケーションＡＰＰからの前記コード照合要請メッセージを受信するように構成される第２の受信ユニットと、のうちの少なくとも一方を含む
請求項６に記載の装置。
【請求項８】
請求項６乃至７のうち何れか一項に記載の装置を備えるネットワークプラットフォーム機器。
【請求項９】
センサのコード照合を行うよう要求するための、前記センサを識別する識別情報が携帯されるコード照合要請メッセージを受信するように構成される第２の受信モジュールと、
前記コード照合要請メッセージをネットワークプラットフォーム機器に送信するように構成される第１の送信モジュールと、
前記ネットワークプラットフォーム機器が前記識別情報に基づいて決定した、前記センサのコード照合状態を受信するように構成される第３の受信モジュールと、
決定された前記コード照合状態に基づいて、前記センサのコード照合処理を実行するように構成される処理モジュールと、
を備えるセンサのコード照合処理装置。
【請求項１０】
前記処理モジュールは、
前記コード照合状態が前記センサのコード照合済み又はコード照合禁止である場合、前記センサに対するコード照合処理を禁止するように構成される第１の処理ユニット、及び/又は、
前記コード照合状態が、前記センサのコード照合が行われていないこと或いはコード照合が許可されることになる場合、前記センサに対するコード照合処理をトリガーするように構成される第２の処理ユニット、を含む
請求項９に記載の装置。
【請求項１１】
請求項９乃至１０のうち何れか一項に記載の装置を備えるモノのインターネットゲートウェイ。
【発明の詳細な説明】
【技術分野】
【０００１】
本発明は通信分野に関し、具体的には、センサのコード照合処理方法、装置、ネットワークプラットフォーム機器及びモノのインターネットゲートウェイに関する。
【背景技術】
【０００２】
モノのインターネットは、新世代情報技術にとって大切な構成要素であり、ローカルエリアネットワーク又はインターネット等の通信技術を用いてセンサ、コントローラ、機械、ヒト及びモノなどを新しい形で結びつけ、ヒトとモノ、モノ同士がつながるようになり、情報化、遠隔管理制御及び知能化されたネットワークを実現する。
【０００３】
モノのインターネットゲートウェイ及びセンサはモノのインターネットシステムにおける重要な構成要素であり、モノのインターネットゲートウェイはセンサとインターネットを接続する中枢であり、そのバックエンドが多くのセンサを管理し制御し、フロントエンドがインターネットに接続される。モノのインターネットゲートウェイがセンサのデータを転送する前に、モノのインターネットゲートウェイとセンサの間での「コード照合」過程を完成しなければならない。いわゆる「コード照合」とは、センサとモノのインターネットゲートウェイの間はあるプロトコルによって、相手の機器識別情報をお互いに交換し合い、双方が互いに知り合う目標を達成することをいう。つまり、モノのインターネットゲートウェイは、「コード照合」によりセンサへのアクセス制御及び管理を完成する。
【０００４】
関連技術において、センサとモノのインターネットゲートウェイは、そのＲＦソリューションが異なることから、コード照合方式が単方向コード照合と双方向コード照合を含む。双方向コード照合とは、モノのインターネットゲートウェイとセンサが双方向通信をサポートし、両者の間で機器情報をお互いに交換し合い、相手の認識及び認証をお互いに完成することを意味する。コード照合を完成した後、センサ機器にはコード照合されたモノのインターネットゲートウェイの識別が保留される一方、モノのインターネットゲートウェイにはコード照合されたセンサの機器識別が保留されることになり、後のデータ交換は何れも機器識別に基づいてお互いにアドレスを指定し合う。
【０００５】
現在、双方向コード照合のトリガー方式は、さらに、センサが積極的にトリガーする方式と、モノのインターネットゲートウェイがトリガーする方式との２種類に分けられる。モノのインターネットゲートウェイがコード照合をトリガーすることは、モノのインターネットゲートウェイがセンサの識別ＩＤに基づいて特定のセンサへセンサウェイクアップメッセージを送信し、該センサがウェイクアップされた後、モノのインターネットゲートウェイとセンサの間ではプロトコルに従って、お互いにコード照合メッセージとコード照合確認メッセージを交互に送信し、コード照合メッセージにそれぞれの機器識別情報が携帯されており、最後に双方が相手機器識別情報の認識や記憶を完成することがその基本原理となる。特に、第２種類のコード照合トリガー方式は、一定の安全面の懸念がある。例えば、ユーザのセンサの識別ＩＤが分かった後、不正侵入者は、ユーザのセンサ付近に不正なモノのインターネットゲートウェイを構築することができ、モノのインターネットゲートウェイとセンサのコード照合過程におけるメッセージ定義は標準的なものでなく、通常、不正侵入者の制御しているモノのインターネットゲートウェイとユーザのモノのインターネットゲートウェイとが同一バージョンであるので、該モノのインターネットゲートウェイによって識別ＩＤが分かったセンサに対して双方向コード照合フローをトリガーすることにより、ユーザのセンサが正当なセンサの管理から脱離し、不正なモノのインターネットゲートウェイにアクセスしてしまい、センサのデータがなくなることになる。
【０００６】
このため、関連技術は、不正侵入者があることから、センサのコード照合過程において安全面の懸念が発生する問題がある。
【発明の概要】
【発明が解決しようとする課題】
【０００７】
本発明は、関連技術において、不正侵入者があることから、センサのコード照合過程において安全面の懸念が発生する問題を少なくとも解決するセンサのコード照合処理方法、装置、ネットワークプラットフォーム機器及びモノのインターネットゲートウェイを提供する。
【課題を解決するための手段】
【０００８】
本発明の一態様は、センサのコード照合を行うよう要求するための、前記センサを識別する識別情報が携帯されるコード照合要請メッセージを受信することと、前記識別情報に基づいて前記センサのコード照合状態を決定することと、決定された、モノのインターネットゲートウェイによる前記センサのコード照合処理の実行に用いられる前記コード照合状態を、前記モノのインターネットゲートウェイに送信することと、を含むセンサのコード照合処理方法が提供される。
【０００９】
前記センサのコード照合を行うよう要求するための前記コード照合要請メッセージを受信することは、モノのインターネットゲートウェイからの前記コード照合要請メッセージを受信することと、モバイル端末のアプリケーションＡＰＰからの前記コード照合要請メッセージを受信することと、のうちの少なくとも一方を含むことが好ましい。
【００１０】
前記センサの識別情報は、前記センサの唯一の識別コードＩＤ、前記センサのタイプ、前記センサの動作方式のうちの少なくとも一方を含むことが好ましい。
【００１１】
本発明の他の一態様は、センサのコード照合を行うよう要求するための、センサを識別する識別情報が携帯されるコード照合要請メッセージを受信することと、前記コード照合要請メッセージをネットワークプラットフォーム機器に送信することと、前記ネットワークプラットフォーム機器が前記識別情報に基づいて決定した、前記センサのコード照合状態を受信することと、決定された前記コード照合状態に基づいて、前記センサのコード照合処理を実行することと、を含むセンサのコード照合処理方法が提供される。
【００１２】
決定された前記コード照合状態に基づいて、前記センサのコード照合処理を実行することは、前記コード照合状態が前記センサのコード照合済み或いはコード照合禁止である場合、前記センサに対するコード照合処理を禁止すること、及び／又は、前記コード照合状態が、前記センサのコード照合が行われていないこと或いはコード照合が許可されることになる場合、前記センサに対するコード照合処理をトリガーすること、を含むことが好ましい。
【００１３】
本発明のもう１つの一態様は、センサのコード照合を行うよう要求するための、前記センサを識別する識別情報が携帯されるコード照合要請メッセージを受信するように構成される第１の受信モジュールと、前記識別情報に基づいて前記センサのコード照合状態を決定するように構成される決定モジュールと、決定された、モノのインターネットゲートウェイによる前記センサのコード照合処理の実行に用いられる前記コード照合状態を、前記モノのインターネットゲートウェイに送信するように構成される送信モジュールと、を備えるセンサのコード照合処理装置が提供される。
【００１４】
前記受信モジュールは、モノのインターネットゲートウェイからの前記コード照合要請メッセージを受信するように構成される第１の受信ユニットと、モバイル端末のアプリケーションＡＰＰからの前記コード照合要請メッセージを受信するように構成される第２の受信ユニットと、のうちの少なくとも一方を含むことが好ましい。
【００１５】
本発明のさらなる一態様は、上記の装置を備えるネットワークプラットフォーム機器が提供される。
【００１６】
本発明のもう１つの態様は、センサのコード照合を行うよう要求するための、前記センサを識別する識別情報が携帯されるコード照合要請メッセージを受信するように構成される第２の受信モジュールと、前記コード照合要請メッセージをネットワークプラットフォーム機器に送信するように構成される第１の送信モジュールと、前記ネットワークプラットフォーム機器が前記識別情報に基づいて決定した、前記センサのコード照合状態を受信するように構成される第３の受信モジュールと、決定された前記コード照合状態に基づいて、前記センサのコード照合処理を実行するように構成される処理モジュールと、を備えるセンサのコード照合処理装置が提供される。
【００１７】
前記処理モジュールは、前記コード照合状態が前記センサのコード照合済み或いはコード照合禁止である場合、前記センサに対するコード照合処理を禁止するように構成される第１の処理ユニットと、前記コード照合状態が、前記センサのコード照合が行われていないこと或いはコード照合が許可されることになる場合、前記センサに対するコード照合処理をトリガーするように構成される第２の処理ユニットと、を含むことが好ましい。
【００１８】
本発明のさらなる一態様は、上記の装置を備えるモノのインターネットゲートウェイが提供される。
【発明の効果】
【００１９】
本発明によれば、センサのコード照合を行うよう要求するための、前記センサを識別する識別情報が携帯されるコード照合要請メッセージを受信することと、前記識別情報に基づいて前記センサのコード照合状態を決定することと、決定された、モノのインターネットゲートウェイによる前記センサのコード照合処理の実行に用いられる前記コード照合状態を、前記モノのインターネットゲートウェイに送信することにより、関連技術において、不正侵入者があることから、センサのコード照合過程において安全面の懸念が発生する問題を解決し、さらに、センサへのアクセス安全性を有効に向上させる効果を達成している。
【図面の簡単な説明】
【００２０】
ここで説明する図面は、本発明をさらに理解させるためのものであり、本願の一部を構成し、また、本発明における模式的実施例及びその説明は本発明を説明するものであり、本発明を不当に限定するものではない。図面において、
【図１】本発明の実施例による第１のセンサのコード照合処理方法のフローチャートである。
【図２】本発明の実施例による第２のセンサのコード照合処理方法のフローチャートである。
【図３】本発明の実施例による第１のセンサのコード照合処理装置の構成ブロック図である。
【図４】本発明の実施例による第１のセンサのコード照合処理装置における第１の受信モジュール３２の好適な構成ブロック図である。
【図５】本発明の実施例によるネットワークプラットフォーム機器の構成ブロック図である。
【図６】本発明の実施例による第２のセンサのコード照合処理装置の構成ブロック図である。
【図７】本発明の実施例による第２のセンサのコード照合処理装置における処理モジュール６８の好適な構成ブロック図である。
【図８】本発明の実施例によるモノのインターネットゲートウェイの構成ブロック図である。
【図９】本発明の好適な実施形態によるネットワーキングアーキテクチャーを示す図である。
【図１０】本発明の実施例によるセンサ制御方法のフローチャートである。
【図１１】本発明の実施形態によるネットワークプラットフォーム機器の構造を示す図である。
【図１２】本発明の好適な実施形態によるモノのインターネットゲートウェイの構造を示す図である。
【発明を実施するための形態】
【００２１】
以下、図面を参照しつつ実施例を結合して本発明を詳しく説明する。なお、衝突しない限り、本願の実施例及び実施例中の構成要件を組み合わせることができる。
【００２２】
本実施例において、センサのコード照合処理方法が提供され、図１は、本発明の実施例による第１のセンサのコード照合処理方法のフローチャートであり、図１に示すように、そのフローは、以下のステップＳ１０２〜ステップＳ１０６を含む。
【００２３】
ステップＳ１０２：センサのコード照合を行うよう要求するための、センサを識別する識別情報が携帯されるコード照合要請メッセージを受信する。
【００２４】
ステップＳ１０４：識別情報に基づいてセンサのコード照合状態を決定する。
【００２５】
ステップＳ１０６：決定された、モノのインターネットゲートウェイによるセンサのコード照合処理の実行に用いられるコード照合状態を、モノのインターネットゲートウェイに送信する。
【００２６】
上記ステップを通じて、センサの識別情報に基づいてセンサのコード照合状態を決定し、コード照合状態に基づいてコード照合処理を実行するようにし、関連技術において、モノのインターネットゲートウェイが直接コード照合処理を実行し、不正侵入者があれば、安全面の懸念問題が発生することに比べ、不正侵入者があることから、センサのコード照合過程において安全面の懸念が発生する問題を効果的に解決するだけでなく、さらに、センサへのアクセス安全性を有効に向上させる効果を達成している。
【００２７】
センサのコード照合を行うよう要求するためのコード照合要請メッセージを受信することは、様々な方式で行われることができ、即ち、コード照合要請は様々なものから取得することができ、例えば、モノのインターネットゲートウェイからのコード照合要請メッセージを受信することと、モバイル端末のアプリケーションＡＰＰからのコード照合要請メッセージを受信することと、のうちの少なくとも一方を含み得る。上記センサの識別情報も様々なものを含むことができ、例えば、センサの唯一の識別コードＩＤ、センサのタイプ、及びセンサの動作方式のうちの少なくとも一方を含み得る。
【００２８】
図２は、本発明の実施例による第２のセンサのコード照合処理方法のフローチャートであり、図２に示すように、そのフローは、以下のステップＳ２０２〜ステップＳ２０８を含む。
【００２９】
ステップＳ２０２：センサのコード照合を行うよう要求するための、センサを識別する識別情報が携帯されるコード照合要請メッセージを受信する。
【００３０】
ステップＳ２０４：コード照合要請メッセージをネットワークプラットフォーム機器に送信する。
【００３１】
ステップＳ２０６：ネットワークプラットフォーム機器が識別情報に基づいて決定した、センサのコード照合状態を受信する。
【００３２】
ステップＳ２０８：決定されたコード照合状態に基づいて、センサのコード照合処理を実行する。
【００３３】
上記ステップを通じて、センサの識別情報に基づいてセンサのコード照合状態を決定し、コード照合状態に基づいてコード照合処理を実行するようにし、関連技術において、モノのインターネットゲートウェイが直接コード照合処理を実行し、不正侵入者があれば、安全面の懸念問題が発生することに比べ、不正侵入者があることから、センサのコード照合過程において安全面の懸念が発生する問題を効果的に解決するだけでなく、さらに、センサへのアクセス安全性を有効に向上させる効果を達成している。
【００３４】
決定されたコード照合状態に基づいてセンサのコード照合処理を実行するときに、コード照合状態は、センサのコード照合が完成されたこと或いはコード照合が禁止されることになる場合、センサに対するコード照合処理を禁止する処理、及び／又は、コード照合状態は、センサのコード照合が行われていないこと或いはコード照合が許可されることになる場合、センサに対するコード照合処理をトリガーする処理、を含み得る。
【００３５】
本実施例において、センサのコード照合処理装置がさらに提供され、上記実施例及び好適な実施形態を実現するものであって、既に説明したものは省略される。以下で使用するように、用語「モジュール」とは、所定の機能を実現可能なソフトウェア及び／又はハードウェアの組合せである。以下の実施例に説明する装置をソフトウェアで実現することが好ましいが、ハードウェア又はソフトウェアとハードウェアとの組合せにより実現することも可能であり、構想されている。
【００３６】
図３は、本発明の実施例による第１のセンサのコード照合処理装置の構成ブロック図であり、図３に示すように、該装置は、第１の受信モジュール３２と、決定モジュール３４と、送信モジュール３６と、を備え、以下、該装置について説明する。
【００３７】
第１の受信モジュール３２は、センサのコード照合を行うよう要求するための、センサを識別する識別情報が携帯されるコード照合要請メッセージを受信するように構成される。決定モジュール３４は、上記第１の受信モジュール３２に接続され、識別情報に基づいてセンサのコード照合状態を決定するように構成される。送信モジュール３６は、上記決定モジュール３４に接続され、決定された、モノのインターネットゲートウェイによるセンサのコード照合処理の実行に用いられるコード照合状態を、モノのインターネットゲートウェイに送信するように構成される。
【００３８】
図４は、本発明の実施例による第１のセンサのコード照合処理装置における第１の受信モジュール３２の好適な構成ブロック図であり、図４に示すように、該第１の受信モジュール３２は、第１の受信ユニット４２と、第２の受信ユニット４４とのうちの少なくとも一方を含み、以下、該第１の受信モジュール３２について説明する。
【００３９】
第１の受信ユニット４２は、モノのインターネットゲートウェイからのコード照合要請メッセージを受信するように構成される。第２の受信ユニット４４は、モバイル端末のアプリケーションＡＰＰからのコード照合要請メッセージを受信するように構成される。
【００４０】
図５は、本発明の実施例によるネットワークプラットフォーム機器の構成ブロック図であり、図５に示すように、該ネットワークプラットフォーム機器５０は、上述した何れかの第１のセンサのコード照合処理装置５２を備える。
【００４１】
図６は、本発明の実施例による第２のセンサのコード照合処理装置の構成ブロック図であり、図６に示すように、該装置は、第２の受信モジュール６２と、第１の送信モジュール６４と、第３の受信モジュール６６と、処理モジュール６８と、を備え、以下、該装置について説明する。
【００４２】
第２の受信モジュール６２は、センサのコード照合を行うよう要求するための、センサを識別する識別情報が携帯されるコード照合要請メッセージを受信するように構成される。第１の送信モジュール６４は、上記第２の受信モジュール６２に接続され、コード照合要請メッセージをネットワークプラットフォーム機器に送信するように構成される。第３の受信モジュール６６は、上記第１の送信モジュール６４に接続され、ネットワークプラットフォーム機器が識別情報に基づいて決定した、センサのコード照合状態を受信するように構成される。処理モジュール６８は、上記第３の受信モジュール６６に接続され、決定されたコード照合状態に基づいて、センサのコード照合処理を実行するように構成される。
【００４３】
図７は、本発明の実施例による第２のセンサのコード照合処理装置における処理モジュール６８の好適な構成ブロック図であり、図７に示すように、該処理モジュール６８は、第１の処理ユニット７２及び／又は第２の処理ユニット７４を含み、以下、該処理モジュール６８について説明する。
【００４４】
第１の処理ユニット７２は、コード照合状態は、センサのコード照合が完成されたこと或いはコード照合が禁止されることになる場合、センサに対するコード照合処理を禁止するように構成される。第２の処理ユニット７４は、コード照合状態は、センサのコード照合が行われていないこと或いはコード照合が許可されることになる場合、センサに対するコード照合処理をトリガーするように構成される。
【００４５】
図８は、本発明の実施例によるモノのインターネットゲートウェイの構成ブロック図であり、図８に示すように、該モノのインターネットゲートウェイ８０は、上述した何れかの第２のセンサのコード照合処理装置８２を備える。
【００４６】
関連技術において、センサの双方向コード照合は安全面の懸念があることに対して、本実施例にてセンサ制御ソリューションが提供され、モノのインターネットへの不正侵入者の侵入がないネットワークプラットフォームという前提のもとで、双方向コード照合過程を実際に実行する前に、ネットワークプラットフォームによってセンサのコード照合状態の認識を実現し、これにより、センサへのアクセスの安全制御を実現する。上記ソリューションによって、センサへのアクセス安全性を有効に向上させることができる。
【００４７】
センサとモノのインターネットゲートウェイの間の双方向コード照合は、安全面の懸念があり、特にモノのインターネットゲートウェイの双方向コード照合のトリガー方式が懸念される。該コード照合ソリューションは、ネットワークプラットフォーム機器がセンサのコード照合要請メッセージを受信する処理と、ネットワークプラットフォーム機器がセンサの識別情報に基づいて、センサのコード照合状態を決定する処理と、ネットワークプラットフォーム機器がセンサのコード照合状態情報に基づいて、センサのコード照合制御メッセージを送信する処理と、を含む。
【００４８】
ここで、該センサの識別情報及び対応するセンサのコード照合状態情報がネットワークプラットフォーム機器に記憶される。センサのコード照合状態情報は、少なくとも、コード照合済み又は未コード照合を含むセンサの最新のコード照合結果を記録する。ネットワークプラットフォームで受信するセンサのコード照合要請メッセージは、コード照合要請を発した外部ネットワーク機器からのものであり、外部ネットワーク機器は、モノのインターネットゲートウェイ、スマートモバイル端末ＡＰＰ、他の第三者通信機器及びソフトウェアを含むが、これらに限定されない。
【００４９】
センサのコード照合要請メッセージは、センサの識別情報を少なくとも１つ含み、センサの識別情報は、センサの識別ＩＤ、センサのタイプ、センサの動作方式などを含むが、これらに限定されない。
【００５０】
コード照合制御メッセージの内容は、コード照合状態に応じて生成され、そのメッセージの内容は、センサのコード照合状態、センサのコード照合が許可されるか否かを含むが、これらに限定されない。
【００５１】
外部ネットワーク機器がセンサのコード照合制御メッセージを受信した後、メッセージの内容を解析し、センサのコード照合状態、或いはセンサのコード照合が許可されるか否かの情報に基づいて、センサのコード照合をトリガーするように制御する。一般的には、センサのコード照合状態がコード照合済み（又はコード照合禁止）であれば、センサのコード照合をトリガーしないが、センサのコード照合状態が未コード照合（又はコード照合許可）であれば、センサのコード照合をトリガーする。
【００５２】
以下、本発明の好適な実施形態について図面を結合しながら説明する。
【００５３】
この実施例において、センサのコード照合要請メッセージはモノのインターネットゲートウェイにより発されるが、スマートフォンのＡＰＰにより、モノのインターネットゲートウェイが該センサのコード照合機能を起動するように制御される。コード照合処理の前に、スマートフォンはＷｉ−Ｆｉモジュールをオンにして、デフォルトではユーザの自宅の無線ルーター機器に接続され、モノのインターネットゲートウェイもＷｉ−Ｆｉ又は有線接続方式によりこの無線ルーター機器に接続される。スマートフォンのＡＰＰアプリケーションにてセンサのコード照合機能が提供されており、ユーザが、ＡＰＰにてコード照合対象となるセンサの識別ＩＤ情報（識別ＩＤは通常、固定長の数字やキャラクタを混ぜた文字列であり、例えば、「S0134001001002」）を手動で入力するか、ＡＰＰ内蔵の二次元コード走査器によってセンサの識別ＩＤに対応する二次元コード情報を自動で走査させることにより、ＡＰＰは、センサの識別ＩＤを取得した後、カスタマイズしてカプセル化したＨＴＴＰプロトコルによってモノのインターネットゲートウェイに対してコード照合命令をトリガーし、モノのインターネットゲートウェイがコード照合命令を受け取った後、コード照合対象となるセンサの識別ＩＤを解析し、そして、該センサの識別ＩＤが含まれるセンサのコード照合要請メッセージをカプセル化し、ＴＣＰ／ＩＰプロトコルによってネットワークプラットフォーム機器に送信する。モノのインターネットゲートウェイがドメイン名を尋ねることで、対応するネットワークプラットフォーム機器のＩＰアドレスを取得し、カスタムプロトコルによってコード照合要請メッセージを伝送する。
【００５４】
図９は、本発明の好適な実施形態によるネットワーキングアーキテクチャーを示す図であり、図９に示すように、該ネットワークアーキテクチャーは、ネットワークプラットフォーム機器９２、モノのインターネットゲートウェイ９４、スマートフォンのＡＰＰ９６、及び１つ又は複数のセンサを備える。
【００５５】
図１０は、本発明の実施例によるセンサ制御方法のフローチャートであり、図１０に示すように、そのフローは、以下のステップＳ１００２〜ステップＳ１００６を含む。
【００５６】
ステップＳ１００２：ネットワークプラットフォーム機器がセンサのコード照合要請メッセージを受信し、本実施例において、ネットワークプラットフォーム機器が、モノのインターネットゲートウェイから送信されたセンサのコード照合要請メッセージを受信する。
【００５７】
ステップＳ１００４：ネットワークプラットフォーム機器がセンサの識別情報に基づいて、センサのコード照合状態を決定する。本実施例において、ネットワークプラットフォーム機器は、プロトコル解析によって、該センサの識別ＩＤ情報を取得し、ソフトウェア尋ね記憶モジュールを介して、該センサに対応するコード照合状態が「コード照合済み」であることを知り、これにより、コード照合状態の確認が完成される。
【００５８】
ネットワークプラットフォーム機器にセンサのコード照合状態情報を記憶する必要があり、この記憶は、センサのコード照合段階が完成され確認された後、コード照合状態を新たに追加したり更新したりするように行われる。記憶は通常、データベース技術を用いる。本実施方法において、該センサについて、ネットワークプラットフォームに記憶されたコード照合状態が「コード照合済み」であることは、該センサが今回のコード照合の前に、少なくとも一回のコード照合過程を済ませ、且つコード照合に成功しており、サービス状態にあることを表す。
【００５９】
ステップＳ１００６：ネットワークプラットフォームは、センサのコード照合状態情報に基づいて、センサのコード照合制御メッセージを送信する。本実施例において、センサのコード照合状態が「コード照合済み」であり、ネットワークプラットフォーム機器は、該コード照合状態情報に基づいてコード照合制御メッセージを生成し、センサのコード照合制御メッセージにセンサの識別ＩＤ、コード照合状態＝「コード照合済み」、コード照合が許可されるか＝「Ｎｏ」といったフィールドが含まれる。その後、ネットワークプラットフォーム機器は、ＴＣＰ／ＩＰカスタムプロトコルによって該センサのコード照合制御メッセージをモノのインターネットゲートウェイに送信する。
【００６０】
モノのインターネットゲートウェイは、該センサのコード照合制御メッセージを受信した後、コード照合制御メッセージを解析し、コード照合が許可されるかのフィールドが「Ｎｏ」であると判定した後、センサとの双方向コード照合過程をトリガーしない。そして、カスタムＨＴＴＰインターフェースを介して該センサのコード照合結果をスマートフォンのＡＰＰに送信し、本実施例におけるコード照合結果は、「該センサはコード照合済みであり、バインド解除してからコード照合を行ってください」ということになる。
【００６１】
本実施例において、ネットワークプラットフォーム機器に記憶されたセンサのコード照合状態が「未コード照合」であったり、該センサのコード照合記録がなかったりの場合、ネットワークプラットフォーム機器は、センサの識別ＩＤ、コード照合状態＝「未コード照合」、コード照合が許可されるか＝「Ｙｅｓ」といったフィールドが含まれるコード照合制御メッセージを生成する。その後、ネットワークプラットフォーム機器は、ＴＣＰ／ＩＰカスタムプロトコルによって該センサのコード照合制御メッセージをモノのインターネットゲートウェイに送信する。
【００６２】
モノのインターネットゲートウェイは、該センサのコード照合制御メッセージを受信した後、コード照合制御メッセージを解析し、コード照合が許可されるかのフィールドが「Ｙｅｓ」であると判定した後、センサのウェイクアップ、識別ＩＤの交換及び認識を含むセンサとの双方向コード照合過程を積極的にトリガーする。最後に、モノのインターネットゲートウェイは、カスタムＨＴＴＰインターフェースを介して、該センサのコード照合結果として「該センサがコード照合に成功した」旨をスマートフォンのＡＰＰに送信する。同時に、モノのインターネットゲートウェイは、「コード照合に成功した」メッセージをネットワーク機器プラットフォームに送信し、ネットワーク機器プラットフォームは、該センサのコード照合状態を「コード照合済み」に更新させる。
【００６３】
上記処理によると、ネットワークプラットフォーム機器は、ハードウェアを変えずにソフトウェアに以下の機能を追加している。図１１は、本発明の実施形態によるネットワークプラットフォーム機器の構造を示す図であり、図１１に示すように、該ネットワークプラットフォーム機器１１０は、記憶モジュール１１２、第１のメッセージ受信モジュール１１４（その機能が上記第１の受信モジュール３２に相当）、状態尋ねモジュール１１６（その機能が上記決定モジュール３４に相当）及び第１のメッセージ送信モジュール１１８（その機能が上記送信モジュール３６に相当）を備え、以下、該ネットワークプラットフォーム機器１１０について説明する。
【００６４】
記憶モジュール１１２は、センサの最新のコード照合状態及び対応するセンサの識別情報を記憶するように構成される。本実施例において、記憶モジュールは、データベース技術を利用し、センサのＩＤとコード照合状態情報をテーブルの形で記憶し、このセンサについて記憶されたコード照合状態情報が「コード照合済み」になる。
【００６５】
第１のメッセージ受信モジュール１１４は、センサのコード照合要請メッセージを受信する。本実施例において、ネットワークプラットフォーム機器は、ＴＣＰ／ＩＰ技術によって、モノのインターネットゲートウェイのセンサのコード照合要請メッセージを受信する。
【００６６】
状態尋ねモジュール１１６は、センサの識別情報に基づいて、センサの最新のコード照合状態を尋ねる。ネットワークプラットフォーム機器がセンサのコード照合要請メッセージを解析してセンサの識別ＩＤを取得し、記憶モジュールを呼び出して、該センサの現在のコード照合状態が「コード照合済み」であると確認する。
【００６７】
第１のメッセージ送信モジュール１１８は、状態尋ねモジュールで発生したセンサのコード照合状態情報に基づいて、センサのコード照合制御メッセージを生成して、コード照合要請を発した外部ネットワーク機器に送信する。本実施例において、センサのコード照合状態が「コード照合済み」であり、ネットワークプラットフォーム機器は、該コード照合状態情報に基づいてコード照合制御メッセージを生成し、センサのコード照合制御メッセージにセンサの識別ＩＤ、コード照合状態＝「コード照合済み」、コード照合が許可されるか＝「Ｎｏ」といったフィールドが含まれる。その後、ネットワークプラットフォーム機器は、ＴＣＰ／ＩＰカスタムプロトコルによって該センサのコード照合制御メッセージをモノのインターネットゲートウェイに送信する。
【００６８】
上記実施例にて提供される方法によると、ネットワークプラットフォーム機器は、ハードウェアを変えずにソフトウェアに以下の機能を追加している。図１２は、本発明の好適な実施形態によるモノのインターネットゲートウェイの構造を示す図であり、図１２に示すように、該モノのインターネットゲートウェイ１２０は、第２のメッセージ送信モジュール１２２（その機能が上記第１の送信モジュール６４に相当）、第２のメッセージ受信モジュール１２４（その機能が上記第３の受信モジュール６６に相当）、及びコード照合トリガーモジュール１２６を備え、以下、該装置について説明する。
【００６９】
第２のメッセージ送信モジュール１２２は、ネットワークプラットフォームへセンサのコード照合要請メッセージを送信する。この実施例において、モノのインターネットゲートウェイがスマートフォンのＡＰＰからのコード照合命令を受け取った後、コード照合対象となるセンサの識別ＩＤを解析し、そして、該センサの識別ＩＤが含まれるセンサのコード照合要請メッセージをカプセル化し、ＴＣＰ／ＩＰプロトコルによってネットワークプラットフォーム機器に送信する。
【００７０】
第２のメッセージ受信モジュール１２４は、ネットワークプラットフォームから送信されたセンサのコード照合制御メッセージを受信する。この実施例において、モノのインターネットゲートウェイが該センサのコード照合制御メッセージを受信する。
【００７１】
コード照合トリガーモジュール１２６は、センサのコード照合制御メッセージに基づいて、メッセージの内容を解析し、センサのコード照合状態、或いはセンサのコード照合が許可されるか否かの情報に基づいて、センサのコード照合をトリガーするように制御する。一般的には、センサのコード照合状態がコード照合済み（又はコード照合禁止）であれば、センサのコード照合をトリガーしないが、センサのコード照合状態が未コード照合（又はコード照合許可）であれば、センサのコード照合をトリガーする。この実施例において、コード照合が許可されるか否かは「Ｎｏ」であるため、センサとの双方向コード照合過程をトリガーしない。その後、カスタムＨＴＴＰインターフェースを介して、「該センサはコード照合済みであり、バインド解除してからコード照合を行ってください」という旨の該センサのコード照合結果をスマートフォンのＡＰＰに送信する。
【００７２】
当業者にとって、上述の本発明の各モジュール又は各ステップは汎用の計算装置によって実現することができ、単独の計算装置に集成させることができれば、複数の計算装置から構成されるネットワークに分布させることもでき、さらに計算装置で実行可能なプログラムのコードによって実現していもよいので、それらを記憶装置に格納して計算装置によって実行することができ、そして場合によって、示した又は説明したステップを上述と異なる手順で実行することができ、それぞれ集積回路モジュールに製作したり、これらのうち複数のモジュール又はステップを単独の集積回路モジュールに製作したりして実現することができることは、明らかなことである。このように、本発明は、如何なる特定のハードウェアとソフトウェアの結合に限定されない。
【００７３】
以上は、本発明の好適な実施例に過ぎず、本発明を限定することは意図しておらず、当業者であれば、本発明に様々な変更や変形が可能である。本発明の思想や原則内の如何なる修正、均等の置き換え、改良なども、本発明の保護範囲内に含まれるべきである。
【産業上の利用可能性】
【００７４】
上述した実施例及び好適な実施形態により、関連技術において、不正侵入者があることから、センサのコード照合過程において安全面の懸念が発生する問題を解決し、さらに、センサへのアクセス安全性を有効に向上させる効果を達成している。
【図１】
2017535122.tif 000003
【図２】
2017535122.tif 000004
【図３】
2017535122.tif 000005
【図４】
2017535122.tif 000006
【図５】
2017535122.tif 000007
【図６】
2017535122.tif 000008
【図７】
2017535122.tif 000009
【図８】
2017535122.tif 000010
【図９】
2017535122.tif 000011
【図１０】
2017535122.tif 000012
【図１１】
2017535122.tif 000013
【図１２】
2017535122.tif 000014
【国際調査報告】
2017535122.tif 000015
2017535122.tif 000016
2017535122.tif 000017
2017535122.tif 000018